(57)【要約】【課題】開蓋時にプッシュピースを押圧する力を軽減し、開放操作性を改善可能な気密化粧料容器を提供する。【解決手段】気密化粧料容器１において、容器本体４の側壁７ａに、係合位置６に臨ませて形成された切り欠き部８と、これに、左右方向スライド移動自在に設けられたプッシュピース９と、これから係合位置に向かって延設されたアーム１０と、容器本体に係合位置に位置させて設けられ、前後方向に弾性変形される弾性ピース１１と、この上部に形成された第１係合部１２と、蓋体５に形成され、これに係脱自在に係合される第２係合部１３と、アームに形成され、弾性ピースを後方へ押圧して第２係合部と第１係合部との係合を解除する押圧部１４と、容器本体に設けられた隆起部と、アームの先端部にヒンジ片を介して揺動自在に設けられ、隆起部を迫り上がって、第２係合部が解除された状態の蓋体を上方へ押し上げて開放する押上部１７とを備えた。【選択図】図３
2008237591.tif 000002
【特許請求の範囲】
【請求項１】
前方収納部と後方収納部が形成された容器本体の後端部に、該容器本体を開閉する蓋体を回動自在に連結し、該前方収納部と該後方収納部との間に設定した係合位置でこれら蓋体と容器本体を係脱自在に係合することにより、該容器本体を閉止しつつ該後方収納部を気密に密閉するようにした気密化粧料容器において、上記容器本体の側壁に、上記前方収納部と上記後方収納部の間の上記係合位置に臨ませて形成された切り欠き部と、該切り欠き部に、左右方向スライド移動自在に設けられたプッシュピースと、該プッシュピースから上記係合位置に向かって延設されたアームと、上記容器本体に、上記係合位置に位置させて設けられ、前後方向に弾性変形される弾性ピースと、該弾性ピースの上部に形成された第１係合部と、該蓋体に形成され、上記第１係合部に係脱自在に係合される第２係合部と、上記アームに形成され、上記弾性ピースを後方へ押圧して上記第２係合部と上記第１係合部との係合を解除する押圧部と、上記容器本体に設けられた隆起部と、上記アームの先端部にヒンジ片を介して揺動自在に設けられ、上記隆起部を迫り上がって、上記第２係合部が解除された状態で上記後方収納部を気密に密閉している上記蓋体を上方へ押し上げて開放する押上部とを備えたことを特徴とする気密化粧料容器。
【請求項２】
前記蓋体には、前記後方収納部を封止するための蓋片がフローティング支持され、上記蓋片と前記後方収納部との間に気密シール部が設けられることを特徴とする請求項１に記載の気密化粧料容器。
【発明の詳細な説明】
【技術分野】
【０００１】
本発明は、容器本体の後方に乾燥を防ぐ必要のある化粧料を充填するための後方収納部を有し、容器本体の側壁に左右方向スライド移動自在に設けられたプッシュピースの係合位置方向への押圧によって開蓋操作を可能にした気密化粧料容器を対象とし、開蓋時にプッシュピースを押圧する力を軽減し、開放操作性を改善することが可能な気密化粧料容器に関する。
【背景技術】
【０００２】
従来、化粧料の乾燥を防ぐ気密化粧料容器のなかには、例えば特許文献１で開示されているように、容器本体と該容器本体上面を開閉する蓋体とを各後壁部で枢着させるとともに、その容器本体の後半部には、化粧品収納室を、また前半部内には化粧用品収納室をそれぞれ設け、又容器本体および蓋体の前後方向中間部から開閉蓋により着脱自在に係合する第１、第２係合板を突設して、閉蓋時における係合により上記化粧品収納室の上面へ蓋体下面が圧接することでその化粧品収納室を気密に密閉するように設けた気密化粧料容器が知られている。
【０００３】
上記気密化粧料容器は、容器本体側壁の前後方向中間部に設けられた板バネ押込み口内へ露出する板バネ部分を内方へ押込むことで、板バネ部分内面から内方に突出されたアームの先端部に設けられた押し上げ用傾斜面によって、容器本体の第１係合板と係合する蓋体の第２係合板が押し上げられて蓋体を開放することができ、よって、開蓋操作を片手で行うことが容易にできるようにしたものである。
【特許文献１】特開２００１−６１５４１号公報
【発明の開示】
【発明が解決しようとする課題】
【０００４】
ところで、上記従来の気密化粧料容器にあっては、板バネ部分の露出部を容器本体の側壁の前後方向中間部に設けることで、開蓋操作の容易性は確保されていたものの、板バネ部分を内方へ押し込むことによって、板バネ部分のアームの押し上げのみで係合解除操作と化粧品収納室の気密状態の解除操作を同時に行っている。気密状態の化粧品収納室内部は、一般に負圧となっていて、この負圧に打ち勝って蓋体を開くには相当の力を要する。すなわち、板バネ部分を内方へ押し込む強い力が必要となる。通常、上記気密化粧料容器を使用した化粧の際には、化粧料の付着操作をしない利き手でない手で開蓋操作を行うので、板バネ部分の押し込み操作に力を込めなければならず、開蓋操作性に不自由さを感じていた。また、化粧用品収納室の気密性をさらに高めた場合には、開蓋時の板バネ部分の押し込みにはより強い力が必要となり、片手では操作のしづらいものとなっていた。
【０００５】
本発明は、上記従来の課題に鑑みて創案されたものであって、容器本体の後方に乾燥を防ぐ必要のある化粧料を充填するための後方収納部を有し、容器本体の側壁に左右方向スライド移動自在に設けられたプッシュピースの係合位置方向への押圧によって開蓋操作を可能にした気密化粧料容器を対象として、開蓋時にプッシュピースを押圧する力を軽減し、開放操作性を改善することが可能な気密化粧料容器を提供することを目的とする。
【課題を解決するための手段】
【０００６】
本発明にかかる気密化粧料容器は、前方収納部と後方収納部が形成された容器本体の後端部に、容器本体を開閉する蓋体を回動自在に連結し、前方収納部と後方収納部との間に設定した係合位置でこれら蓋体と容器本体を係脱自在に係合することにより、容器本体を閉止しつつ後方収納部を気密に密閉するようにした気密化粧料容器において、容器本体の側壁に、前方収納部と後方収納部の間の係合位置に臨ませて形成された切り欠き部と、切り欠き部に、左右方向スライド移動自在に設けられたプッシュピースと、プッシュピースから係合位置に向かって延設されたアームと、容器本体に、係合位置に位置させて設けられ、前後方向に弾性変形される弾性ピースと、弾性ピースの上部に形成された第１係合部と、蓋体に形成され、第１係合部に係脱自在に係合される第２係合部と、アームに形成され、弾性ピースを後方へ押圧して第２係合部と第１係合部との係合を解除する押圧部と、容器本体に設けられた隆起部と、アームの先端部にヒンジ片を介して揺動自在に設けられ、隆起部を迫り上がって、第２係合部が解除された状態で後方収納部を気密に密閉している蓋体を上方へ押し上げて開放する押上部とを備えたことを特徴とする。
【０００７】
また、蓋体には、後方収納部を封止するための蓋片がフローティング支持され、蓋片と後方収納部との間に気密シール部が設けたことを特徴とする。
【発明の効果】
【０００８】
本発明にかかる気密化粧料容器にあっては、容器本体の後方に乾燥を防ぐ必要のある化粧料を充填するための後方収納部を有し、容器本体の側壁に左右方向スライド移動自在に設けられたプッシュピースの係合位置方向への押圧によって開蓋操作を可能にした気密化粧料容器を対象として、開蓋時にプッシュピースを押圧する力を軽減でき、開放操作性を改善することができる。
【発明を実施するための最良の形態】
【０００９】
以下に、本発明にかかる気密化粧料容器の好適な一実施形態を、添付図面を参照して詳細に説明する。本実施形態にかかる気密化粧料容器１は基本的には、図１〜図５に示すように、前方収納部２と後方収納部３が形成された容器本体４の後端部に、容器本体４を開閉する蓋体５を回動自在に連結し、前方収納部２と後方収納部３との間に設定した係合位置６でこれら蓋体５と容器本体４を係脱自在に係合することにより、容器本体４を閉止しつつ後方収納部３を気密に密閉するようにした気密化粧料容器１において、容器本体４の側壁７ａに、前方収納部２と後方収納部３の間の係合位置６に臨ませて形成された切り欠き部８と、切り欠き部８に、左右方向スライド移動自在に設けられたプッシュピース９と、プッシュピース９から係合位置６に向かって延設されたアーム１０と、容器本体４に、係合位置６に位置させて設けられ、前後方向に弾性変形される弾性ピース１１と、弾性ピース１１の上部に形成された第１係合部１２と、蓋体５に形成され、第１係合部１２に係脱自在に係合される第２係合部１３と、アーム１０に形成され、弾性ピース１１を後方へ押圧して第２係合部１３と第１係合部１２との係合を解除する押圧部１４と、容器本体４に設けられた隆起部１５と、アーム１０の先端部にヒンジ片１６を介して揺動自在に設けられ、隆起部１５を迫り上がって、第２係合部１３が解除された状態で後方収納部３を気密に密閉している蓋体５を上方へ押し上げて開放する押上部１７とを備える。
【００１０】
また、蓋体５には、後方収納部３を封止するための蓋片１８がフローティング支持され、蓋片１８と後方収納部３との間に気密シール部１９が設けられる。
【００１１】
容器本体４は合成樹脂材で形成され、これを開閉すべくその後端部において、前方に鏡２０が貼着された合成樹脂材製の蓋体５が回動自在に連結される。容器本体４は、底壁７ｂと、その周縁から立ち上げて形成された前壁７ｃ、後壁７ｄ、並びに左右一対の側壁７ａとからなる本体部７と、本体部７上に重ね合わされる平板部２１ａに、前方部および後方部それぞれに位置させて、本体部７の高さとほぼ同一の高さに垂下させて環状壁部２１ｂ、２１ｃを形成した皿枠２１とから構成される。皿枠２１は、本体部７に上方から嵌め込まれ、超音波接着により接着される。容器本体４には、本体部７の底壁７ｂと皿枠２１の環状壁部２１ｂからなる前方収納部２が形成され、同様に、本体部７の底壁７ｂと環状壁部２１ｃとから後方収納部３が形成される。
【００１２】
前方収納部２には、例えば化粧料を付着させるためのパフなどの化粧具が収納される。また、後方収納部３には、合成樹脂材で形成された化粧料皿２２が取り外し可能に収納される。化粧料皿２２は、底部２２ａとその周縁から立ち上げた周側部２２ｂとから構成され、化粧の際に化粧具等に化粧料を付着させるための開口部２３が形成される。化粧料皿２２内部には、乾燥を防ぐ必要のあるクリーム状等の揮発性を有する化粧料が充填される。開口部２３の外周には、環状に切欠された切欠溝２２ｃが形成されている。この切欠溝２２ｃは、上部が内側へ深く切欠された断面略Ｌ字状に形成されている。この切欠溝２２ｃには、環状弾性パッキン２４が配設されている。環状弾性パッキン２４は、化粧料皿２２の切欠溝２２ｃの下方を埋める形状で、その上端面外周には環状に傾斜面２４ａが形成されている。
【００１３】
化粧料皿２２の周側部２２ｂの前方及び後方には、その外側に嵌合凹部２５ａが形成され、これに対応させて、後方収納部３の前方及び後方には、その内面から突出された嵌合凸部２５ｂが設けられる。これら嵌合凹部２５ａ、嵌合凸部２５ｂをそれぞれ嵌合することによって化粧料皿２２が容器本体４に固定される。皿枠２１の環状壁部２１ｃの後部中央には、化粧料皿２２を手指などで押し上げて取り出すための適当な幅の窪み部２６が形成される。
【００１４】
容器本体４には、前方収納部２を形成する環状壁部２１ｂと後方収納部３を形成する環状壁部２１ｃの間に空間Ｓが形成され、この空間Ｓが、第１係合部１２及び第２係合部１３の係合位置６として設定される。空間Ｓは、平板部２１ａに形成した孔部４０を介して上方に連通される。
【００１５】
本体部７の両側壁７ａには、空間Ｓ内の係合位置６に臨ませて、適当な大きさに切り欠いた切り欠き部８が形成される。切り欠き部８には、側断面ほぼＬ字状に形成された一対のプッシュピース９が左右方向にスライド移動自在に設けられる。
【００１６】
プッシュピース９は合成樹脂材で形成され、その内面からアーム１０が係合位置６に向かって延設される。本体部７の底壁７ｂには、アーム１０の前後両脇に、適当な幅を持たせて上方へ突出させたアーム案内突起１０ａが形成され、皿枠２１の平板部２１ａには、アーム１０の上方に、適当な幅を持たせて下方へ突出させたアーム案内片１０ｂが形成される。これにより、アーム１０は空間Ｓ内を係合位置６に向かって真っ直ぐスライド移動することが可能となる。
【００１７】
空間Ｓ内の係合位置６には、前後方向に弾性変形される合成樹脂製の弾性ピース１１が設けられる。弾性ピース１１は、後方に向かって湾曲させた弾性脚片１１ａを左右両端に有する。弾性脚片１１ａの後方には、これらと当接するように底壁７ａから上方へ突出させた一対の保持部１１ｂが形成される。弾性ピース１１の上部中央には、第１係合部１２が前方へ突出させて形成され、第１係合部１２に係脱自在に係合される第２係合部１３が、蓋体５に設けられる。第２係合部１３は、後方へ突出させて形成される。
【００１８】
弾性ピース１１の下部中央には、これを前方に延出させて案内片１１ｃが形成され、案内片１１ｃの左右両側の底壁７ｂには、一対の隆起部１５が突出形成される。これら隆起部１５の対向する側面と、隆起部１５間の底壁７ｂによって側断面ほぼ凹字状に案内部２７が形成され、これにより、弾性ピース１１の案内片１１ｃが前後方向に案内される。また、弾性ピース１１は、これら隆起部１５と保持部１１ｂの間に挟み込まれて取付状態が保持される。
【００１９】
一対の隆起部１５の左右方向外側には、弾性ピース１１から前方に突出させて一対の被押圧部１４ａが形成される。被押圧部１４ａは、後方に向かうに従って左右方向外方に傾斜する傾斜面を有する。アーム１０の先端部には、被押圧部１４ａの傾斜面に対応させて、後方に向かうに従って左右方向外方に傾斜する傾斜面を有する押圧部１４が形成される。プッシュピース９を押圧すると、アーム１０の押圧部１４が被押圧部１４ａに摺接しながら係合位置６に向かって移動し、これによって弾性ピース１１が押圧されて第１係合部１２が後方へ移動し、第２係合部１３との係合が解除される。
【００２０】
隆起部１５の左右方向外側面には、それぞれ左右方向外方へ向かうに従って下方に傾斜する隆起部側傾斜面１５ａが形成される。アーム１０の先端部には、上下に撓むヒンジ片１６を介して押上部１７が揺動自在に設けられ、押上部１７の下面には、隆起部側傾斜面１５ａと対をなし、左右方向外方へ向かうに従って下方に傾斜させた押上部側傾斜面１７ａが形成される。プッシュピース９を押圧すると、押上部１７は、その押上部側傾斜面１７ａが隆起部側傾斜面１５ａでスライドして迫り上がり、係合が解除された第２係合部１３を押し上げて、後方収納部３を気密に密閉している蓋体５が開放される。
【００２１】
蓋体５の後方には、下面を上方へ向かって後方収納部３とほぼ同一面積に凹ませた蓋片収納部５ａが形成される。蓋片収納部５ａには、上面に中央突起部１８ａが突設された蓋片１８が収納される。蓋片１８は、蓋片収納部５ａに揺動自在に収納すべく、これより一回り小さい外径寸法で、かつ、化粧料皿２２の開口部２３全体を覆うような外径寸法に形成される。
【００２２】
蓋体５の後方には、蓋片収納部５ａ周縁内方へ張り出すように環状の支持枠２８が設けられる。支持枠２８は、その外周縁部２８ａが上方に延出されて、側断面ほぼＬ字状に形成される。支持枠２８は、蓋片１８の外径よりも一回り小さな内径寸法で形成される。支持枠２８は、蓋片収納部５ａの外側に環状に凹設された環状凹所３０に外周縁部２８ａが超音波接着などにより嵌合されて取り付けられる。これによって、蓋片１８は中央突起部１８ａを介して蓋体５に揺動可能にフローティング支持されて、後方収納部３を封止する。換言すると、前記フローティング支持は、蓋片１８の下面に支持枠２８の内周縁が内方に張り出すことにより、蓋片収納部５ａに蓋片１８が支持されること、並びに蓋片１８の上面の全面が蓋片収納部５ａの下面に当接せず、中央突起部１８ａのみが当接することによって得られる。
【００２３】
また、蓋片１８の下面には、化粧料皿２２の切欠溝２２ｃとほぼ同一の外径に突出させて、切欠溝２２ｃに挿入される環状突片１８ｂが形成される。環状突片１８ｂは、下端部外側が下端部内側より下方に突出して形成された断面略楔形で、その内周面が傾斜面１８ｃとして形成されている。蓋体５の閉止状態では、化粧料皿２２の切欠溝２２ｃ内の環状弾性パッキン２４の傾斜面２４ａと蓋片１８の環状突片１８ｂの傾斜面１８ｃとから構成される気密シール部１９が圧接されることによって、化粧料皿２２内の気密保持が可能となる。環状弾性パッキン２４は、化粧料皿２２側ではなく、蓋片１８側に設けてもよい。
【００２４】
次に、本実施形態にかかる気密化粧料容器１の作用について説明する。気密化粧料容器１を製作するには、空間Ｓ内において、本体部７の底壁７ｂの隆起部１５と保持部１１ｂの間に弾性ピース１１を組み込み、次に、本体部７の切り欠き部８に、アーム１０を係合位置６に向けてプッシュピース９を組み込む。そして、本体部７の上方から皿枠２１を覆い被せて固着し、容器本体４が完成する。一方、化粧料皿２２の切欠溝２２ｃに環状弾性パッキン２４を装着する。そして、容器本体４の後方収納部３に化粧料皿２２を嵌合する。
【００２５】
また、蓋体５の蓋片収納部５ａに蓋片１８を挿入し、支持枠２８を蓋体５に嵌着する。そして、容器本体４と蓋体５とをそれらの後端部において回動自在に蝶着すればよい。
【００２６】
容器本体４の開放の際には、容器本体４の左右両側から係合位置６に向かってプッシュピース９を手指などで押圧する。プッシュピース９を押し込むとそのスライド移動により、これに設けられたアーム１０を介してそれぞれの押圧部１４が、弾性ピース１１に形成された左右の被押圧部１４ａを摺接しつつ係合位置６へ向かって移動する。これによって、左右の被押圧部１４ａを介して弾性ピース１１が弾性変形して、第２係合部１３が後方へ移動し、第１係合部１２との係合が解除される。
【００２７】
それに続いて、一対のアーム１０の先端部にヒンジ片１６を介して形成された左右の押上部１７が、隆起部側傾斜面１５ａをそれぞれスライドしつつ迫り上がって、係合が解除された第２係合部１３を押し上げ、蓋体５を開放する。
【００２８】
このように、蓋体５の開放操作を、係合解除操作と、係合解除後の蓋体５の押上操作、という２段階で行うことによって、片手でも簡単に軽い押圧力で操作性よく蓋体５を開放することができる。
【００２９】
また、容器本体４の開放の際には、上記のように左右両側のプッシュピース９を押圧することだけに限らず、片側のプッシュピース９のみを押圧操作するだけでも、片側の押圧部１４が弾性ピース１１を後方へ押し込み、第１係合部１２と第２係合部１３の係合を解除することができ、それに続いて、片側の押上部１７のみが隆起部傾斜面１５ａを迫り上がり、係合が解除された第２係合部１３を押し上げることもでき、両サイドからプッシュピースを押圧したときと同様、係合解除操作と、係合解除後の蓋体５の押上操作の２段階で蓋体５の開放操作が可能となる。このような場合でも、片手で簡単に軽快に蓋体５を開放することが出来る。
【００３０】
さらに、上記実施形態では、左右両側壁７ａの切り欠き部８に一対のプッシュピース９が設けられているが、切り欠き部８を片側のみに形成し、プッシュピース９を片側にだけ設けることもできる。これについても上記同様、蓋体５の開放操作は、係合解除操作と、係合解除後の蓋体５の押上操作の２段階で行われ、プッシュピース９の押圧に、強い力を必要とせず、片手でも簡単に開放操作を実現することができる。
【００３１】
そして、容器本体４を蓋体５で閉止する際には、手指などで蓋体５を上方から下方へ押し込み、第１係合部１２を第２係合部１３に係合させる。
【００３２】
また、本実施形態にかかる気密化粧料容器１では、化粧料皿２２の開口部２３を封止するための蓋片１８が揺動自在に蓋体５にフローティング支持されている。このため、製造の際に容器本体４や蓋片１８、化粧料皿２２の切欠溝２２ｃの寸法にバラツキが生じてしまった場合などにも、蓋体５の閉止操作に際しては、後方収納部３内の化粧料皿２２の切欠溝２２ｃへの蓋片１８の環状突片１８ｂの挿入が柔軟に行なわれ、気密シール部１９の圧着を容易かつ確実に行うことができる。
【００３３】
本実施形態にあっては、後方収納部３に着脱自在に取り付けられる化粧料皿２２と蓋片１８との間に気密シール部１９が設けられて、蓋体５により後方収納部３を気密に密閉するようにしている。これにより、後方収納部３の構造を簡素化できる。しかしながら、後方収納部３に環状弾性パッキンを設けて、直接、後方収納部３を蓋体５で気密シールするようにしてもよい。この場合、化粧料皿２２には、環状弾性パッキン２４を設けなくてよいので、その構造を簡素化することができる。
【図面の簡単な説明】
【００３４】
【図１】本発明にかかる気密化粧料容器の好適な一実施形態を示す斜視図である。
【図２】図１の気密化粧料容器の側断面図である。
【図３】図１の気密化粧料容器の皿枠を外した状態を示す平面図である。
【図４】図１の気密化粧料容器の係合位置周辺の正面断面図である。
【図５】図１の気密化粧料容器の要部分解斜視図である。
【符号の説明】
【００３５】
１    気密化粧料容器
２    前方収納部
３    後方収納部
４    容器本体
５    蓋体
６    係合位置
７ａ  側壁
８    切り欠き部
９    プッシュピース
１０  アーム
１１  弾性ピース
１２  第１係合部
１３  第２係合部
１４  押圧部
１５  隆起部
１６  ヒンジ片
１７  押上部
１８  蓋片
１９  気密シール部
【図１】
2008237591.tif 000003
【図２】
2008237591.tif 000004
【図３】
2008237591.tif 000005
【図４】
2008237591.tif 000006
【図５】
2008237591.tif 000007